(57)【要約】【課題】洗い場排水を受け入れる受入室と、浴槽排水が流入する浴槽排水流路とを有し、該受入室及び浴槽排水流路から水が共通の流出口を通って排水される排水トラップにおいて、洗い場排水が効率よく排出されるようにする。【解決手段】洗い場排水は、受入口１１を通ってトラップ室２０に流入し、封水筒３２の下側を通って洗い場排水流路３２、合流室５０及び合流流出口１４から排水管６に流出する。浴槽排水流路２３の末端部２３ｅは、合流室５０の立下り壁面５２から突出している。このため、洗い場排水が一時的に大量に流れ込んできても、スムーズに排出されると共に、浴槽１への逆流も防止される。【選択図】図６
2011226076.tif 000002
【特許請求の範囲】
【請求項１】
洗い場排水が受入口から流入するトラップ室と、
該トラップ室が洗い場排水流路を介して連なる合流流出口と、
該受入室の下側を通って延在し、一端側が浴槽排水の流入口に連なり、他端側が該合流流出口に連なる浴槽排水流路と、
を備えてなる浴槽及び洗い場用の排水トラップにおいて、
該浴槽排水流路の末端部及び洗い場排水流路の末端部と該合流流出口との間に合流室を設け、
該合流室に臨む該洗い場排水流路の末端部の開口面積を該合流流出口の開口面積よりも大きくしたことを特徴とする排水トラップ。
【請求項２】
請求項１において、前記合流室の底面は、前記洗い場排水流路の末端部よりも低位に位置し、該洗い場排水流路の末端部から合流室の底面にかけて立下り壁面となっていることを特徴とする排水トラップ。
【請求項３】
請求項１又は２において、前記浴槽排水流路の末端部を前記合流室内に突出させたことを特徴とする排水トラップ。
【請求項４】
請求項２又は３において、前記浴槽排水流路の末端部を囲む部材は、該突出方向の先端ほど肉厚が小さくなる尖頭断面形状となっており、且つ該部材の外側面が浴槽排水流路の延在方向に対して斜交する傾斜面となっていることを特徴とする排水トラップ。
【発明の詳細な説明】
【技術分野】
【０００１】
本発明は、浴槽及び洗い場用の排水トラップに係り、特に洗い場排水を受け入れる受入室と、浴槽排水が流入する浴槽排水流路とを有し、該受入室及び浴槽排水流路から水が共通の流出口を通って排水される排水トラップに関する。詳しくは、洗い場排水が効率よく排出されるよう構成された排水トラップに関する。
【背景技術】
【０００２】
洗い場排水を受け入れる受入室と、浴槽排水が流入する浴槽排水流路とを有し、該受入室及び浴槽排水流路から水が共通の流出口を通って排水される排水トラップが特開２００５−２３２９３６及び特開２００９−１６７５９０号公報に記載されている。
【０００３】
上記従来の排水トラップにあっては、浴槽排水流路の末端が共通の流出口に直に臨んでおり、共通の流出口部分における洗い場排水流路の開口面積が、該流出口の開口面積に比べて小さくなっている。このため、例えば洗い場にバケツ等で水を撒いたりして瞬間的に大量の水が洗い場排水流路から該共通の流出口に流れ込んできたときに、洗い場排水がスムーズに排出されず、洗い場排水の排出能力が低下する。また、洗い場排水が該流出口付近に溜って浴槽排水流路から浴槽に逆流するおそれがある。
【先行技術文献】
【特許文献】
【０００４】
【特許文献１】特開２００５−２３２９３６号公報
【特許文献２】特開２００９−１６７５９０号公報
【発明の概要】
【発明が解決しようとする課題】
【０００５】
本発明は、洗い場排水を受け入れる受入室と、浴槽排水が流入する浴槽排水流路とを有し、該受入室及び浴槽排水流路から水が共通の流出口を通って排水される排水トラップにおいて、洗い場排水が一時的に大量に流れ込んできても効率よく排出されるようにすることを目的とする。
【課題を解決するための手段】
【０００６】
請求項１の排水トラップは、洗い場排水が受入口から流入するトラップ室と、該トラップ室が洗い場排水流路を介して連なる合流流出口と、該受入室の下側を通って延在し、一端側が浴槽排水の流入口に連なり、他端側が該合流流出口に連なる浴槽排水流路と、を備えてなる浴槽及び洗い場用の排水トラップにおいて、該浴槽排水流路の末端部及び洗い場排水流路の末端部と該合流流出口との間に合流室を設け、該合流室に臨む該洗い場排水流路の末端部の開口面積を該合流流出口の開口面積よりも大きくしたことを特徴とするものである。
【０００７】
請求項２の排水トラップは、請求項１において、前記合流室の底面は、前記洗い場排水流路の末端部よりも低位に位置し、該洗い場排水流路の末端部から合流室の底面にかけて立下り壁面となっていることを特徴とするものである。
【０００８】
請求項３の排水トラップは、請求項１又は２において、前記浴槽排水流路の末端部を前記合流室内に突出させたことを特徴とするものである。
【０００９】
請求項４の排水トラップは、請求項２又は３において、前記浴槽排水流路の末端部を囲む部材は、該突出方向の先端ほど肉厚が小さくなる尖頭断面形状となっており、且つ該部材の外側面が浴槽排水流路の延在方向に対して斜交する傾斜面となっていることを特徴とするものである。
【発明の効果】
【００１０】
本発明の排水トラップにあっては、洗い場排水流路の末端部及び浴槽排水流路の末端部と合流流出口との間に合流室が設けられ、浴槽排水流路末端部の該合流室に臨大部分の開口面積を合流流出口の開口面積よりも広くしている。このため、洗い場排水が洗い場排水流路から合流室にスムーズに流れ込み、合流流出口へスムーズに排出される。
立下り壁面を設けて下に広げたことにより、洗い場排水は立下り壁面の高さ分の落差により勢いを増して、よりスムーズに合流流出口に排出されるとともに、洗い場側へ逆流しづらくなる。
【００１１】
この浴槽排水流路の末端部を合流室内に突出させることにより、洗い場排水が合流室から浴槽排水流路へ逆流することが防止される。洗い場排水流路の末端部から合流室の底面にかけて立下り壁面を形成し、この立下り壁面から浴槽排水流路を突出させることにより、合流室から浴槽排水流路への逆流が効果的に防止される。
【００１２】
この浴槽排水流路末端部を囲む部材の外側面に傾斜面を設けることにより、該部材を末端側ほど肉厚が小さくなる突頭断面形状とすることにより、合流室から浴槽排水流路への逆流がより効果的に防止される。
【図面の簡単な説明】
【００１３】
【図１】実施の形態に係る排水トラップの斜視図である。
【図２】洗い場排水受入口付近の斜視図である。
【図３】排水トラップの内部の斜視図である。
【図４】排水トラップの内部の斜視図である。
【図５】図１のＶ−Ｖ線断面図である。
【図６】図１のVI−VI線断面図である。
【図７】（ａ）図は図６のVII−VII線断面図、（ｂ）、（ｃ）図は（ａ）図のＢ−Ｂ線、Ｃ−Ｃ線断面図である。
【図８】図６のVIII−VIII線断面図である。
【図９】合流流出口付近の縦断面図である。
【図１０】合流流出口付近の水平断面図である。
【図１１】実施の形態に係る排水トラップを備えた浴室の概略的な斜視図である。
【発明を実施するための形態】
【００１４】
以下に、図面を参照して本発明の実施の形態について説明する。
【００１５】
第１１図は実施の形態に係る排水トラップを備えた浴室の概略的な斜視図、第１図はこの排水トラップの斜視図、第２図はヘアキャッチャーを取り外した状態における洗い場排水受入口付近の斜視図である。
【００１６】
第１１図の通り、浴室１の床は浴槽パン（図示略）と洗い場パン２とによって構成され、該浴槽パン上に浴槽３が設置されている。洗い場パン２の浴槽３側には排水枡４が設けられている。該排水枡４は洗い場パン２と一体に凹み状に形成されている。この排水枡４の上面には排水目皿５が装着されている。
【００１７】
浴槽３の排水口３ａ及び洗い場パン２の排水枡４に対し、下側から排水トラップ１０が連結されている。
【００１８】
第１図に示すように、排水トラップ１０の長手方向の略中央の上面には、洗い場パン２からの排水が排水枡４を通り流入する洗い場排水受入口１１が設けられ、他端側の上面には、浴槽３からの排水が排水口３ａを通り流入する浴槽排水流入口１２が設けられている。
【００１９】
また、この排水トラップ１０の他端側には、これらの洗い場排水受入口１１、浴槽排水流入口１２から該排水トラップ１０内に流入した水が流出する合流流出口１４が設けられている。この洗い場排水受入口１１に、取っ手３７ｂを有したヘアキャッチャー３７が着脱自在に設置されている。また、合流流出口１４に排水管６（第１１図）が接続されている。
【００２０】
次に、この排水トラップ１０の詳細な構造について第２図〜第１０図を参照して説明する。
【００２１】
第２図はヘアキャッチャーを取り外した状態の洗い場排水受入口付近の斜視図である。第３図は排水トラップの天蓋プレートを取り外した状態の斜視図、第４図はさらに底板２２を取り外した状態の斜視図、第５図は第１図のＶ−Ｖ線断面図、第６図は第１図のVI−VI線断面図、第７図（ａ）は第６図のVII−VII線断面図、第７図（ｂ）は第７図（ａ）のＢ−Ｂ線断面図、第７図（ｃ）は第７図（ａ），（ｂ）のＣ−Ｃ線断面図、第８図は第６図のVIII−VIII線断面図、第９図は合流室５０及び合流流出口１４付近の縦断面斜視図、第１０図は同付近の水平断面斜視図である。
【００２２】
第５，６図に明示の通り、この排水トラップ１０内には、洗い場排水受入口１１の下側にトラップ室（封水室）２０が設けられ、このトラップ室２０は洗い場排水流路２１及び合流室５０を介して合流流出口１４に連通している。このトラップ室２０の底板２２の下側には、浴槽排水流入口１２と合流流出口１４とを連通する浴槽排水流路２３が設けられている。
【００２３】
洗い場排水受入口１１の内周面の内向き鍔部３１に係止されるようにして封水筒３２がトラップ室２０内に垂設されている。この封水筒３２の上端にフランジ部３２ａ（第５図）が設けられており、このフランジ部３２ａが鍔部３１に係止されている。封水筒３２の下端と底板２２及び後述の下端板部４１との間にはクリアランスがあいており、封水筒３２内の水がこのクリアランスを通って流出する。第２図に明示の通り、封水筒３２の上部の内周面に周板部３２ｂが延設されている。後述の導水部材４０の流出口４４からの水が該周板部３２ｂに流出する。
【００２４】
第５，６図に明示の通り、洗い場排水受入口１１にはトラップ取付フランジ３４が螺着されており、本体側の上面部３５と該フランジ３４との間で、排水升４の底部のトラップ取付用開口４ａ（第５図）の縁部をパッキンを介して挟持することにより排水トラップ１０が洗い場パン２に固着される。
【００２５】
このトラップ取付フランジ３４の内周面の凸部３６（第２図）に係止させてヘアキャッチャー３７が該トラップ取付フランジ３４に内嵌状に着脱可能に装着されている。
【００２６】
このヘアキャッチャー３７の下方において、前記底板２２に開口３９（第５，６図）が設けられ、この開口３９に導水部材４０が取り付けられている。
【００２７】
この導水部材４０は、第３，５，６図の通り、開口３９に係合する円板状の下端板部４１と、該下端板部４１から立設された複数個（この実施の形態では２個）の管部４２とを有している。なお、第５図の通り、下端板部４１の外周面にフランジ部４１ａと爪部４１ｂが設けられており、該フランジ部４１ａと爪部４１ｂが開口３９の縁部に対し上下から挟むように係合することにより、導水部材４０が底板２２に着脱可能に取り付けられている。
【００２８】
該導水部材４０は、管部４２の上端部４３の周方向指向面に設けられた流出口４４を有している。この流出口４４は、フィン部３２ｂの上面に向って水を流出させるように、フィン部３２ｂよりも上位側に設けられている。
【００２９】
次に、トラップ室２０から合流流出口１４付近の構成について第６図〜第１０図を参照して詳細に説明する。
【００３０】
トラップ室２０から合流流出口１４に向って、洗い場排水流路２１の流路底面は徐々に上り勾配となっている。
【００３１】
この上り勾配を上り切った部分と合流流出口１４との間に、洗い場排水流路２１と浴槽排水流路２３との合流室５０が設けられている。合流室５０の底面は洗い場排水流路２１の上り切った部分よりも低位となっており、洗い場排水流路２１の上り切った部分と合流室５０の底面との間は立下り壁面５２となっている。
【００３２】
前記浴槽排水流路２３は、この洗い場排水流路２１の上り勾配部分において、洗い場排水流路２１の左右幅方向（合流流出口１４に向う流れから見て左右幅方向）の中央部に位置している。そして、浴槽排水流路２３の末端部２３ｅは、立下り壁面５２の左右幅方向の中央部に位置している。合流流出口１４はこの末端部２３ｅの正面に位置している。
【００３３】
浴槽排水流路２３は、洗い場排水流路２１の下側を洗い場排水流路２１と同様に、合流流出口１４に向って上り勾配となって延在している。
【００３４】
この浴槽排水流路２３は、前述の通り、底板２２によってトラップ室２０及び洗い場排水流路２１と区画されている。この底板２２は、洗い場排水流路２１の上り勾配に沿って延在する延在部２２ａを有しており、この延在部２２ａは浴槽排水流路末端２３ｅにまで延在している。底板２２の延在方向末端部２２ｂの上面は、第８図〜第１０図の通り、浴槽排水流路２１の上り切った部分の上面と同じレベルとなっている。
【００３５】
第７，８図の通り、底板末端部２２ｂの左右両側辺部から脚板部２２ｋが垂設されており、排水トラップ本体側の挟持板部５０ｊ，５０ｋ間に該脚板部２２ｋが嵌合している。
【００３６】
浴槽排水流路２３の末端部２３ｅは、立下り壁面５２よりも合流室５０内に突出している。また、該末端部２３ｅの突出方向の先端部における底板２２の末端部２２ｂ及び脚板部２２ｋの端縁５１は、先端側ほど肉薄となる尖頭断面形状となっている。この実施の形態では、浴槽排水流路２３に対し外側となる面に傾斜面が形成されている。即ち、第７図（ｂ）の通り、底板２２の上面の端縁５１が突出方向先端に向って下り勾配となっている。また、第７図（ｃ）の通り、各脚板部２２ｋの外側面の端縁５１が突出方向先端ほど浴槽排水流路２３内に近づくように傾斜している。
【００３７】
このように、浴槽排水流路２３の末端部２３ｅを合流室５０内に突出させており、また、この突出方向の端縁５１を尖頭断面形状としているので、合流室５０から浴槽排水流路２３内に向う流れの損失係数が大きい。その結果、洗い場排水流路２１から合流室５０に流れ込んだ水が、浴槽排水流路２３に流れ込みにくくなる。このようなことから、洗い場排水受入口１１に一時に多量の水が流れ込み、この水が洗い場排水流路２１から合流室５０内に流れ込んでも、浴槽排水流路２３側へ逆流することが防止又は抑制され、浴槽１内に逆流することが防止される。
【００３８】
なお、この実施の形態では、浴槽排水流路２３の末端部２３ｅを囲む底板末端部２２ｂ及び脚板部２２ｋは、第７，８図の通り下向きコ字形の断面形状であるが、浴槽排水流路２３の末端部は、短い管状となって合流室５０内に突出してもよい。
【００３９】
上記実施の形態では、第７図（ｂ），（ｃ）に明示の通り、端縁５１は平面状にカットした斜面状の断面形状であるが、凸又は凹に湾曲した曲面状の断面形状であってもよい。
【００４０】
上記実施の形態では、底板末端部２２ｂ及び脚板部２２ｋを合流室５０内に突出させているが、これらの一部のみを合流室５０内に突出させてもよい。
【００４１】
この実施の形態では、洗い場排水流路２１の末端部の開口面積（すなわち合流室５０に臨む部分の開口面積）Ｓ１は、合流流出口１４の開口面積Ｓ３よりも大きく、好ましくは１．５倍以上、特に好ましくは１．５〜６倍最も好ましくは２〜４倍とされている。このため、洗い場排水流路２１を上昇してきた水はスムーズに合流室５０内に流入する。立下り壁面５２の鉛直方向の高さは１０〜３０ｍｍ特に１５〜２５ｍｍ程度が好適である。
【００４２】
なお、浴槽排水流路２３の末端部２３ｅの開口面積Ｓ２は、洗い場排水流路２１の末端部の開口面積Ｓ１の５〜２０％特に１０〜１５％程度であることが好ましい。
【００４３】
次に、この排水トラップ１０の作動について説明する。
【００４４】
洗い場パン２からの排水は、排水枡４及び洗い場排水受入口１１を通ってトラップ室２０に流入し、封水筒３２の下側を通って洗い場排水流路２１、合流室５０及び合流流出口１４から排水管６に流出する。この際、上述の通り、洗い場排水流路２１からの洗い場排水はスムーズに合流室５０内に流入すると共に、合流室５０から浴槽排水流路２３に流れ込みにくい構造となっている。このため、洗い場排水がスムーズに排出されると共に、浴槽１への逆流も防止される。この洗い場排水の流出が停止すると、トラップ室２０内には、封水が残り、この封水に封水筒３２の下端が没するので、排水管６の臭気が洗い場排水受入口１１から浴室内に逆流することが防止される。
【００４５】
浴槽３からの排水は、排水口３ａ、浴槽排水流入口１２、浴槽排水流路２３、合流室５０及び合流流出口１４を通って排水管６に流出する。この際、該浴槽排水流路２３を流れる水の一部は、該浴槽排水流路２３の途中で導水部材４０に流入し、管部４２を通り、流出口４４からトラップ室２０内へ周回方向に流出するため、受入室２０内に旋回流が形成されるようになる。また、この水の流入によりトラップ室２０内の水位が上昇し、ヘアキャッチャー３７が旋回流に浸漬され、ヘアキャッチャー３７内の毛髪などのゴミがヘアキャッチャー３７の中心に集められる。これにより、ゴミを摘んで捨てることができるようになる。また、ヘアキャッチャー３７の内外面が旋回流に浸漬されて浄化され、ヌメリ等が除去される。
【００４６】
特に、この実施の形態では、排水筒３２の上部内周面に周板部３２ｂが設けられ、流出口４４から流出した水の多くが周板部３２ｂ上を旋回するので、旋回流が強力となる。浴槽排水流路２３を通り、その末端部２３ｅから合流室５０内に流入した排水は、合流室５０内を直進し、合流流出口１４からスムーズに排出される。
【００４７】
浴槽排水の流出が停止すると、浴槽排水流路２３内には合流流出口１４の下縁のレベルまで封水が残るため、排水管６の臭気が浴槽排水流入口１２から浴槽や浴室内に逆流することが防止される。
【００４８】
上記実施の形態では、トラップ室２０内に旋回流を形成するように構成しているが、旋回流形成手段は省略されてもよい。
【符号の説明】
【００４９】
２  洗い場パン
３  浴槽
４  排水枡
１０  排水トラップ
１１  洗い場排水受入口
１２  浴槽排水流入口
１４  合流流出口
２０  トラップ室
２１  洗い場排水流路
２２  底板
２３  浴槽排水流路
２３ｅ  浴槽排水流路末端部
３２  封水筒
３７  ヘアキャッチャー
４０  導水部材
４２  管部
５０  合流室
５１  端縁
５２  立下り壁面
【図１】
2011226076.tif 000003
【図２】
2011226076.tif 000004
【図３】
2011226076.tif 000005
【図４】
2011226076.tif 000006
【図５】
2011226076.tif 000007
【図６】
2011226076.tif 000008
【図７】
2011226076.tif 000009
【図８】
2011226076.tif 000010
【図９】
2011226076.tif 000011
【図１０】
2011226076.tif 000012
【図１１】
2011226076.tif 000013